(57)【要約】      （修正有）【課題】取り扱い性に優れると共に、歯茎を傷つけずに歯の手入れをすることができる歯間掃除具を提供する。【解決手段】一端に横方向に向かって２つのアーム１１Ａが延設されると共に、他端に先細の掃除部１３Ａが設けられる柄部１０Ａを有し、前記２つのアームの端末にフロス１２Ａが張設され、前記掃除部１３Ａに軟質弾性体２０Ａを設けて歯間掃除具を構成する。【選択図】図１
0003153958.tif 000002
【実用新案登録請求の範囲】
【請求項１】
一端に横方向に向かって２つのアームが延設されると共に、他端に先細の掃除部が設けられる柄部を有し、
前記２つのアームの端末にフロスが張設され、
前記掃除部に軟質弾性体が設けられることを特徴とする歯間掃除具。
【請求項２】
前記掃除部に装着部が設けられると共に、該装着部に前記軟質弾性体が取り付けられることを特徴とする請求項１に記載の歯間掃除具。
【請求項３】
前記掃除部における装着部に、軟質弾性体との結合力を高めるための補強構造が形成されることを特徴とする請求項２に記載の歯間掃除具。
【請求項４】
前記装着部に形成される補強構造が１つ以上の孔、突起或いは貫通孔であることを特徴とする請求項３に記載の歯間掃除具。
【請求項５】
前記軟質弾性体の表面に、放射状に配列される複数の弾性ブラシが設けられることを特徴とする請求項１乃至４の何れか一項に記載の歯間掃除具。
【請求項６】
前記柄部に弾性材からなる滑り止め部が設けられることを特徴とする請求項５に記載の歯間掃除具。
【請求項７】
前記軟質弾性体の表面に１つ以上の孔が形成されることを特徴とする請求項１乃至４の何れか一項に記載の歯間掃除具。
【請求項８】
前記軟質弾性体の表面に１つ以上の突起部が形成されることを特徴とする請求項１乃至４のいずれか一項に記載の歯間掃除具。
【請求項９】
前記柄部に弾性材からなる滑り止め部が設けられることを特徴とする請求項７または８に記載の歯間掃除具。
【考案の詳細な説明】
【技術分野】
【０００１】
本考案は、特に歯間に容易に入り込ませることにより、歯垢を確実に除去することができる歯間掃除具に関するものである。
【背景技術】
【０００２】
歯間掃除具は、歯間部に残った食べカスや歯面の歯垢などを除去するためのものであり、その種類は多く、広く使用されている。
図８に示すように、従来の歯間掃除具としては一般に、柄部（９０）を具備し、該柄部（９０）の一端に先細のピック部（９１）が設けられると共に、他端に横方向に向かって２つのアーム（９２）が延設され、該２つのアーム（９２）にフロス（９３）が張設されるものが知られている。
前記従来の歯間掃除具を使用する時には、前記ピック部（９１）を歯間に挿し入れたり、フロス（９３）を歯間に入り込ませて前後上下に往復させることによって歯間部の食べカスや歯垢を除去する。
【考案の概要】
【考案が解決しようとする課題】
【０００３】
しかしながら、従来の歯間掃除具は、良好な強度を持たせるために硬い材料で柄部（９０）を製造すると、使用する時に硬い掃除部（９１）により歯や歯茎を傷つけてしまうことがあった。また、掃除部（９１）による刺し傷を防止するために、軟質材料で柄部（９０）を製造した場合には、柄部（９０）の強度が弱いので、使い難いといった欠点があった。
【０００４】
そこで、案出されたのが本考案であって、使い易いと共に、掃除部により歯間部を掃除する時に歯茎を傷つけることがない歯間掃除具を提供することを目的としている。
【課題を解決するための手段】
【０００５】
本願の請求項１の考案は、一端に横方向に向かって２つのアームが延設されると共に、他端に先細の掃除部が設けられる柄部を有し、
前記２つのアームの端末にフロスが張設され、
前記掃除部に軟質弾性体が設けられることを特徴とする歯間掃除具、を提供する。
【０００６】
本願の請求項２の考案は、前記掃除部に装着部が設けられると共に、該装着部に前記軟質弾性体が取り付けられることを特徴とする請求項１に記載の歯間掃除具、を提供する。
【０００７】
本願の請求項３の考案は、前記掃除部における装着部に、軟質弾性体との結合力を高めるための補強構造が形成されることを特徴とする請求項２に記載の歯間掃除具、を提供する。
【０００８】
本願の請求項４の考案は、前記装着部に形成される補強構造が１つ以上の孔、突起或いは貫通孔であることを特徴とする請求項３に記載の歯間掃除具、を提供する。
【０００９】
本願の請求項５の考案は、前記軟質弾性体の表面に、放射状に配列される複数の弾性ブラシが設けられることを特徴とする請求項１乃至４の何れか一項に記載の歯間掃除具、を提供する。
【００１０】
本願の請求項６の考案は、前記柄部に弾性材からなる滑り止め部が設けられることを特徴とする請求項５に記載の歯間掃除具、を提供する。
【００１１】
本願の請求項７の考案は、前記軟質弾性体の表面に１つ以上の孔が形成されることを特徴とする請求項１乃至４の何れか一項に記載の歯間掃除具、を提供する。
【００１２】
本願の請求項８の考案は、前記軟質弾性体の表面に１つ以上の突起部が形成されることを特徴とする請求項１乃至４のいずれか一項に記載の歯間掃除具、を提供する。
【００１３】
本願の請求項９の考案は、前記柄部に弾性材からなる滑り止め部が設けられることを特徴とする請求項７または８に記載の歯間掃除具、を提供する。
【考案の効果】
【００１４】
本考案は上記の課題を解決するものであり、柄部の一端に強度と剛性に優れたアームが延設されることから、フロスに高い張力を有するので、歯間への出し入れがし易い。また、柄部の掃除部に軟質弾性体が設けられるので、歯間へ挿し入れる時に、歯茎の損傷を防ぐことができる。
【図面の簡単な説明】
【００１５】
【図１】本考案に係る歯間掃除具の第１実施例を示す斜視図である。
【図２】本考案に係る歯間掃除具の第１実施例を示す部分拡大断面図である。
【図３】本考案に係る歯間掃除具の第１実施例を示す部分拡大透視斜視図である。
【図４】本考案に係る歯間掃除具の第２実施例を示す斜視図である。
【図５】本考案に係る歯間掃除具の第２実施例を示す部分拡大斜視図である。
【図６】本考案に係る歯間掃除具の第３実施例を示す斜視図である。
【図７】本考案に係る歯間掃除具の第４実施例を示す斜視図である。
【図８】従来の歯間掃除具の斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１は本考案に係る歯間掃除具の第１実施例を示す斜視図であり、図２は本考案に係る歯間掃除具の第１実施例を示す部分拡大断面図であり、図３は本考案に係る歯間掃除具の第１実施例を示す部分拡大透視斜視図であり、図４は本考案に係る歯間掃除具の第２実施例を示す斜視図であり、図５は本考案に係る歯間掃除具の第２実施例を示す部分拡大斜視図であり、図６は本考案に係る歯間掃除具の第３実施例を示す斜視図であり、図７は本考案に係る歯間掃除具の第４実施例を示す斜視図である。
【００１８】
図１乃至図３に示すように、本考案に係る歯間掃除具の第１実施例は、剛性を有する柄部（１０Ａ）を備え、該柄部（１０Ａ）の一端に横方向へ向かって２つのアーム（１１Ａ）が延設されると共に、該２つのアーム（１１Ａ）の端末部に歯垢を除去するためのフロス（１２Ａ）が張設され、また、柄部（１０Ａ）の他端に、歯間に挿し入れるための掃除部（１３Ａ）が設けられ、該掃除部（１３Ａ）に、補強構造を有し、柄部（１０Ａ）より先細の装着部（１３０Ａ）が形成される。尚、本実施例においては、該補強構造は貫通孔（１３１）であるが、装着部（１３０Ａ）を貫通しない凹部や突起であってもよい。
【００１９】
前記装着部（１３０Ａ）に軟質弾性体（２０Ａ）が設けられ、尚、本実施例においては、軟質弾性体（２０Ａ）はシリコン(Silicone)、TPR(Thermoplastic
Rubber)、またはTPE(Thermoplastic
Elastomer)からなり、射出成形により装着部（１３０Ａ）に形成される。また、前記装着部（１３０Ａ）には、凹部、突起或いは貫通孔（１３１）等の補強構造が形成されるので、装着部（１３０Ａ）と軟質弾性体（２０Ａ）とが強固に結合される。
【００２０】
更に、前記軟質弾性体（２０Ａ）の表面には、１つ以上の孔（２２）が形成されるので、歯間部から食べカスや歯垢を除去し易くなる。尚、前記孔（２２）の代わりに軟質弾性体（２０Ａ）の表面に突起部を設けてもよい。
【００２１】
図４及び図５に示すように、本考案の第２実施例においては、柄部（１０Ｂ）における装着部（１３０Ａ）に先細の軟質弾性体（２０Ｂ）が設けられると共に、該軟質弾性体（２０Ｂ）に複数の弾性ブラシ（２１Ｂ）が放射状に配列されるように形成されるので、掃除部（１３Ｂ）を歯間に挿し入れて、上下前後方向に移動させれば、該弾性ブラシ（２１Ｂ）によって食べカスや歯垢を確実に除去することができる。
【００２２】
図６に示すように、本考案の第３実施例は、第１実施例とほぼ同様の構成であるが、柄部（１０Ｃ）に更に、弾性材料からなり、歯間掃除具を指で持つ際に滑り止めの役割を果たす滑り止め部（２３Ｃ）が設けられる。
【００２３】
図７に示すように、本考案の第４実施例は、第３実施例とほぼ同様の構成であるが、軟質弾性体（２０Ｄ）に更に、複数の弾性ブラシ（２１Ｄ）が放射状に配列されるように形成される。
【００２４】
本考案の歯間掃除具を使って歯の手入れをする時には、指で剛性を有する柄部（１０Ａ〜１０Ｄ）を持ち、緊張状態のフロス（１２Ａ〜１２Ｄ）によって歯間又は歯面に堆積した歯垢を除去する。また、軟質弾性体（２０Ａ〜２０Ｄ）が設けられる先細の掃除部（１３Ａ〜１３Ｄ）を歯間に挿し入れることによって歯間部の食べカスも除去することができる。
【産業上の利用可能性】
【００２５】
本考案は上記の構成を有し、柄部の一端に延設される、強度と剛性に優れたアームに、フロス（１２Ａ〜１２Ｄ）が緊張状態で張設されてると共に、柄部（１０Ａ〜１０Ｄ）における掃除部（１３Ａ〜１３Ｄ）に軟質弾性体（２０Ａ〜２０Ｄ）が設けられるので、歯茎を傷つけることなく歯の手入れをすることができる。
【符号の説明】
【００２６】
１０Ａ〜１０Ｄ    柄部
１１Ａ〜１１Ｄ    アーム
１２Ａ〜１２Ｄ    フロス
１３Ａ〜１３Ｄ    掃除部
１３０Ａ    装着部
１３１      貫通孔
２０Ａ〜２０Ｄ    軟質弾性体
２１Ｂ、２１Ｄ    弾性ブラシ
２２    孔
２３Ｂ、２３Ｄ    滑り止め部
９０    柄部
９１    掃除部
９２    アーム
９３    フロス
【図１】
0003153958.tif 000003
【図２】
0003153958.tif 000004
【図３】
0003153958.tif 000005
【図４】
0003153958.tif 000006
【図５】
0003153958.tif 000007
【図６】
0003153958.tif 000008
【図７】
0003153958.tif 000009
【図８】
0003153958.tif 000010